(57)【特許請求の範囲】
【請求項１】
被印字媒体に所望の印字を行う印刷装置であって、
装置外郭を構成する略箱形の筐体と、
前記筐体の内部構造を、水平方向一方側に位置する第１領域と水平方向他方側に位置する第２領域とに仕切る、遮蔽手段と
前記第１領域に設けられた電装品と、
前記第２領域に設けられ、前記被印字媒体を収納する媒体収納室と、
開き位置と閉じ位置との間で開閉可能に前記筐体に設けられ、前記媒体収納室を外部に露出可能な開閉蓋と、
前記遮蔽手段の前記水平方向他方側に設けられた移動入力部、及び、前記遮蔽手段の前記水平方向一方側に設けられた移動出力部、を備え、前記閉じ位置へと下降する前記開閉蓋に前記移動入力部が当接して下降するとともに当該移動入力部の下降移動を前記移動出力部に機械的に伝達し、当該移動出力部の所定方向に沿った移動として出力する、移動伝達機構と、
前記第１領域に設けられ前記移動出力部の前記移動を検出する移動検出センサと、
前記筐体に設けられて前記第１領域を上側としかつ前記第２領域を下側にした状態で操作者が前記筐体をぶら下げ状態で使用するためのストラップと、
を有し、
前記移動伝達機構の前記移動出力部は、
前記開閉蓋の下降に伴う前記移動入力部の下降移動を変換し上昇移動として出力可能に構成されており、
前記移動検出センサは、
前記移動出力部より上方に位置して当該移動出力部の前記上昇移動を検出し、
かつ、
前記ストラップを用いた前記ぶら下げ状態においては、前記移動出力部が前記移動入力部よりも上方に位置するように、構成されている
ことを特徴とする印刷装置。
【請求項２】
請求項１記載の印刷装置において、
前記遮蔽手段は、
前記第１領域と前記第２領域との境界位置に延設された仕切壁と、
前記仕切壁の上部を覆うように設けられ、前記電装品に備えられる制御基板からの制御に基づき前記媒体収納室から供給される前記被印字媒体を搬送しつつ所望の印字を行う印刷処理機構と、
を有することを特徴とする印刷装置。
【請求項３】
請求項２記載の印刷装置において、
前記筐体は、
前記印刷処理機構により印字が形成された前記被印字媒体を排出する排出口を備えており、
前記開閉蓋の端部は、
前記排出口の前記水平方向他方側の縁部を兼ねる
ことを特徴とする印刷装置。
【発明の詳細な説明】
【技術分野】
【０００１】
本発明は、被印字媒体に対し所望の印字を行う印刷装置に関する。
【背景技術】
【０００２】
例えば、筐体の内部に、被印字媒体を収納する媒体収納室を設けた印刷装置として、特許文献１記載の技術が知られている。この印刷装置においては、媒体収納室は、筐体（プリンタケース）に設けた開閉蓋（プリンタカバー）を用いて外部開放可能となっている。これにより、操作者は、開閉蓋を開き位置として媒体収納室を外部に露出することで、被印字媒体（ロール紙）の媒体収納室への装着や新しい被印字媒体との交換を容易に行うことができる。なお、開閉蓋の開閉動作はセンサ（カバーオープン検出器）によって検出される。
【先行技術文献】
【特許文献】
【０００３】
【特許文献１】特開平３−２１８８７２号公報
【発明の概要】
【発明が解決しようとする課題】
【０００４】
上記従来技術では、開閉蓋の開閉動作を検出するセンサを、上記開閉蓋により外部開放される側に設けている。この場合、開閉蓋が開き状態となり筐体内部が外部開放されたときに、雨水など外部からの飛沫がセンサの検出性能に悪影響を与えるおそれがある。しかしながら、上記従来技術では、特にこのようなセンサ性能への飛沫の影響について、特に配慮されていなかった。
【０００５】
本発明の目的は、開閉蓋の開閉を検出するセンサへの防水性を確保し、開閉検出性能を良好に維持できる、印刷装置を提供することにある。
【課題を解決するための手段】
【０００６】
上記目的を達成するために、本願発明は、被印字媒体に所望の印字を行う印刷装置であって、装置外郭を構成する略箱形の筐体と、前記筐体の内部構造を、水平方向一方側に位置する第１領域と水平方向他方側に位置する第２領域とに仕切る、遮蔽手段と、前記第１領域に設けられた電装品と、前記第２領域に設けられ、前記被印字媒体を収納する媒体収納室と、開き位置と閉じ位置との間で開閉可能に前記筐体に設けられ、前記媒体収納室を外部に露出可能な開閉蓋と、前記遮蔽手段の前記水平方向他方側に設けられた移動入力部、及び、前記遮蔽手段の前記水平方向一方側に設けられた移動出力部、を備え、前記閉じ位置へと下降する前記開閉蓋に前記移動入力部が当接して下降するとともに当該移動入力部の下降移動を前記移動出力部に機械的に伝達し、当該移動出力部の所定方向に沿った移動として出力する、移動伝達機構と、前記第１領域に設けられ前記移動出力部の前記移動を検出する移動検出センサと、前記筐体に設けられて前記第１領域を上側としかつ前記第２領域を下側にした状態で操作者が前記筐体をぶら下げ状態で使用するためのストラップと、を有し、前記移動伝達機構の前記移動出力部は、前記開閉蓋の下降に伴う前記移動入力部の下降移動を変換し上昇移動として出力可能に構成されており、前記移動検出センサは、前記移動出力部より上方に位置して当該移動出力部の前記上昇移動を検出し、かつ、前記ストラップを用いた前記ぶら下げ状態においては、前記移動出力部が前記移動入力部よりも上方に位置するように、構成されていることを特徴とする。
【０００７】
本願第１発明の印刷装置においては、筐体の内部に、被印字媒体を収納する媒体収納室が設けられ、この媒体収納室は筐体に設けた開閉蓋を用いて外部開放可能となっている。これにより、操作者は、開閉蓋を開き位置として媒体収納室を外部に露出することで、被印字媒体の媒体収納室への装着や新しい被印字媒体との交換を容易に行うことができる。
【０００８】
その際、筐体内部が外部に開放されることから、筐体内部の電装品の防水性に配慮する必要がある。本願発明では、筐体内部に遮蔽手段を設けて水平方向一方側の第１領域と水平方向他方側の第２領域とに仕切るとともに、開閉蓋で開閉される上記媒体収納室を第２領域に設け電装品を第１領域に設けている。これにより、電装品への防水性を確保することができる。
【０００９】
一方、通常、開閉蓋の開閉動作を検出するためにセンサ（移動検出センサ）が設けられるが、このセンサを上記開閉蓋と同じ側である第２領域に設けた場合、上述と同様、センサへの防水性の懸念が生じる。
【００１０】
そこで、本願第１発明においては、開閉蓋の動作を直接センサで検出するのではなく、第２領域側の開閉蓋の動作を移動伝達機構を介して機械的に第１領域側へ伝達し、これをセンサで検出する。すなわち、移動伝達機構は、上記第１領域と第２領域とにまたがって設けられており、遮蔽手段より水平方向他方側（すなわち第２領域）に位置する移動入力部と、遮蔽手段より水平方向一方側（すなわち第１領域）に位置する移動出力部と、を有している。第２領域側において開閉蓋が閉じられるとき、閉じ位置へと下降する開閉蓋に対し上記移動入力部が当接し、これによって移動入力部が下降する。この移動入力部の下降移動は機械的に第１領域に位置する移動出力部へと伝達され、これによって移動出力部が所定方向に沿って移動する。そして、この移動出力部の移動が、第１領域に位置するセンサ（移動検出センサ）によって検出される。
【００１１】
以上のようにして、外部開放状態となる第２領域での開閉蓋の移動を第１領域側へと伝達して移動検出センサで検出することにより、移動検出センサへの防水性を確保することができる。この結果、開閉蓋の開閉検出性能を良好に維持することができる。
【発明の効果】
【００１２】
本発明によれば、開閉蓋の開閉を検出するセンサへの防水性を確保し、開閉検出性能を良好に維持することができる。
【図面の簡単な説明】
【００１３】
【図１】本発明の一実施の形態であるプリンタの外観構成を表す斜視図である。
【図２】筐体のトップカバーを外した状態を前方側斜め上方向から見た斜視図である。
【図３】図１中Ｆ−Ｆ断面による断面図、及び、Ｇ−Ｇ断面による断面図である。
【図４】メカユニットの詳細構造を表す斜視図である。
【図５】筐体のトップカバーのうちの固定部を外した状態を表す、前方側斜め上方向から見た斜視図及び平面図である。
【図６】筐体のトップカバー全部を外した状態を表す、前方側斜め上方向から見た斜視図及び後方側斜め上方向から見た斜視図である。
【図７】筐体のトップカバー全部及びメカユニットを外した状態を表す、前方側斜め上方向から見た斜視図及び平面図である。
【図８】図４に示したメカユニットの拡大斜視図である。
【図９】開閉蓋が開き位置にあるときの移動伝達機構と移動検出センサとの状態を表す、説明図である。
【図１０】開閉蓋が閉じ位置にあるときの移動伝達機構と移動検出センサとの状態を表す、説明図である。
【図１１】ユーザによるプリンタの使用状態の一例を表す説明図である。
【発明を実施するための形態】
【００１４】
以下、本発明の一実施の形態を図面を参照しつつ説明する。
【００１５】
＜プリンタの概略構成＞
図１〜図３を用いて、本発明の一実施形態のプリンタ（印刷装置）１の全体構成を説明する。以下では、図１中の右下方向を右方、左上方向を左方、右上方向を後方、左下方向を前方、上方向を上方、下方向を下方、と定義して説明する（各図の矢印の図示参照）。なお、この例では、上記のような定義における前後方向が各請求項記載の水平方向に相当し、前方が水平方向一方側に相当し、後方が水平方向他方側に相当する。
【００１６】
プリンタ１は、例えばＰＣ端末や携帯電話等の外部機器（図示せず）より受信した印刷データを、ロール紙Ｓ（被印字媒体）に印刷する。このプリンタ１は、電池（図示せず）を電源として駆動可能である。
【００１７】
プリンタ１は、例えば樹脂材料で構成された、装置外郭を構成する略箱形形状の筐体１００を備えている。この筐体１００は、装置外郭上部を構成するトップカバー１０１と、装置外郭下部を構成するアンダーカバー１０２とを備えている。トップカバー１０１は、固定部１０１Ａと開閉蓋１０１Ｂとを備えている。
【００１８】
アンダーカバー１０２の端部には、左・右一対の挿通部１０２ａが備えられている。これら挿通部１０２ａに例えばストラップＳＰ（後述の図１１参照）などを挿通し、肩や首、さらには腰ベルトなどに架けることにより、操作者は、前述のように電池駆動であるプリンタ１を様々な場所（屋外を含む）に手軽に持ち運び、使用することができる（後述の図１１参照）。
【００１９】
トップカバー１０１の開閉蓋１０１Ｂの下方（筐体１００の内部）には、ロール収納部１６１（媒体収納室）が設けられている（図２、図３参照）。このロール収納部１６１には、ロール紙Ｓが両端部を支持部材１６２によって回転可能に軸支されて収納されており、これによってロール収納部１６１から連続的にロール紙Ｓを供給可能な構成となっている。このとき、開閉蓋１０１Ｂはヒンジ部Ｈを介しアンダーカバー１０２の後端部に対して回転可能に連結されており、これによってロール収納部１６１を外部に露出させる開き状態と、ロール収納部１６１を内部に収容する閉じ状態とに切り替えられる。開閉蓋１０１Ｂを開き状態とすることで、ロール収納部１６１を装置外部に露出させ、ロール紙Ｓの装着や交換を容易に行うことができる。
【００２０】
また、トップカバー１０１の前後方向略中央部（この例では固定部１０１Ａと開閉蓋１０１Ｂとが付き合わされる部分）には、印字後のロール紙Ｓを排出するための排出口１０７が設けられている（図１、図３参照）。このとき、排出口１０７は、上下方向に沿った一方側に（この例では上方に）向かって開口するように設けられている。
【００２１】
開閉蓋１０１Ｂの前方側端部１０１Ｃ（後述の図９及び図１０参照）には、プラテンローラ１１１が回転自在に支持されている。プラテンローラ１１１は、開閉蓋１０１Ｂが上記閉じ状態にあるときに、モータケーシング２１内の回転子（図示せず）の回転が伝達されることにより、ロール紙Ｓを搬送する。
【００２２】
＜メカユニット及び周辺＞
一方、筐体１００の内部の、前後方向中央部付近には、メインシャーシ部材１５０を備えたメカユニットＭＵ（印刷処理機構）が設けられている。メカユニットＭＵの詳細構成を図４に示す。図４、上記図２、及び上記図３に示すように、メカユニットＭＵにおいて、メインシャーシ部材１５０の内部に、ヘッドユニットＨＵが前後方向に揺動自在に配置されている。そして、ヘッドユニットＨＵには、サーマルラインヘッド１１２と、このサーマルラインヘッド１１２での発熱を冷却するためのヒートシンク１１４と、が一体化されて備えられている。そして、ヒートシンク１１４が、前方側端部がメインシャーシ部材１５０に支持された複数（この例では２つ）のコイルバネ１１５により、上記プラテンローラ１１１側（すなわち後方側）へと付勢されている。これにより、開閉蓋１０１Ｂが上記閉じ状態にあるときに、サーマルラインヘッド１１２はプラテンローラ１１１に所定の圧接力で接触する。
【００２３】
また、メカユニットＭＵには、図４に示すように、メインシャーシ部材１５０の左側に、プラテンローラ１１１を回転駆動する駆動力を発生する前述のモータの外郭となる略円筒形状のモータケーシング２１と、複数のギアから構成され、開閉蓋１０１Ｂの閉じ状態においてプラテンローラ１１１に作動連結されることで上記モータの駆動力をプラテンローラ１１１に伝達するギア機構１３２と、が設けられている。モータケーシング２１は、筐体１００の内部において、上記排出口１０７から下側に設けられる（前述の図３（ｂ）参照）。上記駆動モータは、メカユニットＭＵの下方から筐体１００内部の後方にかけて配置された制御基板１７０（図３参照）によって、その駆動が制御される。なお、制御基板１７０は、取り扱い性や組立性の便宜を図るために、この例では、水平方向に延設されている。制御基板１７０は、上記電池から供給される電力を用いつつ、メカユニットＭＵのサーマルラインヘッド１１２及び上記駆動モータ等の制御を行う。
【００２４】
また、上記モータケーシング２１は、筐体１００の内部において、上記排出口１０７から下側に設けられる（前述の図３（ｂ）参照）。このため、屋外環境や建物内の水回り環境など、雨水やその他の水に曝される可能性のある環境でプリンタ１を使用した場合に、例えば飛沫が排出口１０７から筐体１００内部に侵入し、モータに悪影響を与えるおそれがある。そこで本実施形態では、上記駆動モータの外郭となるモータケーシング２１を覆うモータカバー３１を設けている。また、モータケーシング２１は、左右方向を軸方向としており、駆動モータのモータ軸ＭＡが当該モータケーシング２１から左側に突出して設けられている。
【００２５】
＜プリンタの概略動作＞
上記構成において、印刷時には、ＰＣ端末や携帯電話等の外部機器より、プリンタ１に対し、無線通信（又は有線通信や赤外線通信でもよい）を介して、印刷データが送信される。また、モータの駆動力に基づくプラテンローラ１１１の回転によってロール収納部１６１からロール紙Ｓが繰り出される。繰り出されたロール紙Ｓは、排出口１０７の下方に設けられたガイド部材１２０により、プラテンローラ１１１とサーマルラインヘッド１１２との圧接部に案内される。そして、サーマルラインヘッド１１２とプラテンローラ１１１との間に挿通されたロール紙Ｓに対し、サーマルラインヘッド１１２が上記印刷データに基づいた所望の態様の印刷を行う。印刷後のロール紙Ｓは、排出口１０７から筐体１００の外部へと排出される。このとき、メインシャーシ部材１５０には、排出口１０７の内側において当該排出口１０７に沿うように固定歯１６０が取り付けられている。操作者は、上記のようにして印刷が完了し排出口１０７から排出されたロール紙Ｓの端部を、この固定歯１６０を用いて手動で切断することができる。
【００２６】
なお、前述のようにして操作者が開閉蓋１０１Ｂを開き、ロール収納部１６１にロール紙Ｓを収納したとき、その後の印刷動作時に上記のような搬送・印刷動作を円滑に実現するためには、ロール収納部１６１から取り出したロール紙Ｓの先端余剰部をメカユニットＭＵのサーマルラインヘッド１１２と、開閉蓋１０１Ｂ側に設けたプラテンローラ１１１との間に通し、さらに当該先端余剰部を排出口１０７を挿通させて筐体１００の外部へと露出させてから、開閉蓋１０１Ｂを閉じる必要がある。そこで、本実施形態においては、上記開閉蓋１０１Ｂの前方側端部１０１Ｃが、排出口１０７の後方側（言い換えればロール収納部１６１側）の縁部を兼ねている。
【００２７】
また、印刷中に紙詰まり等が生じた場合には、トップカバー１０１の上記開閉蓋１０１Ｂを開放することで、サーマルラインヘッド１１２からプラテンローラ１１１がリリースされ、容易にロール紙Ｓを引き出すことが可能となる。
【００２８】
＜本実施形態の特徴＞
以上の構成において、本実施形態の特徴は、飛沫に対する防水を図りつつ上記開閉蓋１０１Ｂの開閉検出を行うための構成にある。以下、その詳細を図５〜図１０により順を追って説明する。
【００２９】
前述したように、本実施形態のプリンタ１では、ロール収納部１６１は、開閉蓋１０１Ｂを用いて外部開放可能となっている。これにより、操作者は、開閉蓋１０１Ｂを開き位置としてロール収納部１６１を外部に露出することで、ロール紙Ｓのロール収納部１６１への装着や新しいロール紙Ｓとの交換を容易に行うことができる。その際、筐体１００内部が外部に開放されることから、筐体１００内部の制御基板１７０の防水性に配慮する必要がある。
【００３０】
そこで本実施形態のプリンタ１では、図５〜図７に示すように、筐体１００の内部構造を水平方向一方側（前方側）の第１領域Ｐと水平方向他方側（後方側）の第２領域Ｑとに仕切るために、当該第１領域Ｐと第２領域Ｑとの境界部に、仕切壁Ｒがアンダーカバー１０２の内底部から立設されている。また、開閉蓋１０１Ｂで開閉される上記ロール収納部１６１を第２領域Ｑに設け、制御基板１７０を含む各種電装品（図示せず。以下単に「制御基板１７０等」という）を第１領域Ｐに設けている。さらに、図５及び図６に示すように、第１領域Ｐと第２領域Ｑと仕切る仕切壁Ｒの上部を覆うように、メカユニットＭＵを設けている。このとき、メカユニットＭＵは、前述したように、モータケーシング２１を外郭とする駆動モータ及びヘッドユニットＨＵを含んでおり、仕切壁Ｒの上にネジ止め固定される。これにより、上記のように外部開放可能な第２領域Ｑと制御基板１７０等のある第１領域Ｐとの間を、仕切壁Ｒ及びメインシャーシ部材１５０によって密閉することができる。この結果、制御基板１７０等への防水性を確保することができる。なお、メカユニットＭＵと仕切壁Ｒとが各請求項記載の遮蔽手段に相当している。
【００３１】
＜制御基板の突出形状＞
図７に示すように、本実施形態においては、制御基板１７０は、メカユニットＭＵの下方へ入り込むように突出した突出基板部１７０ａを備えている。これに対応して、筐体１００内部の第１領域Ｐは、通常の部分である第１ベース領域部Ｐ１と、第１ベース領域部Ｐ１からロール収納部１６１側へ突出した第１突出領域部Ｐ２を備えており、上記突出基板部１７０ａはこの第１突出領域部Ｐ２に配置される。
【００３２】
一方、筐体１００内部の第２領域Ｑは、上記の第１突出領域部Ｐ２の突出形状と対応するように、当該第１突出領域部Ｐ２の左右方向に隣接する第２突出領域部Ｑ２を備えている。このとき第２領域Ｑは、第２突出領域部Ｑ２よりもロール収納部１６１側に引っ込んで配置された第２ベース領域部Ｑ１を備えており、この第２ベース領域部Ｑ１が上記第１突出領域部Ｐ２のロール収納部１６１側（言い換えれば後方側）に対向して配置されている。なお、これら左右２つの第２突出領域部Ｑ２には、上記メカユニットＭＵの左右両端部分が挿入配置される。すなわち、左側の第２突出領域部Ｑ２には、メカユニットＭＵの左端部分である、上記モータケーシング２１やギア機構１３２（図４参照）が挿入配置される。一方、右側の第２突出領域部Ｑ２には、メカユニットＭＵの右端部分である、リリース機構（詳細図示は省略）が挿入配置される。
【００３３】
＜仕切壁の具体的構成＞
本実施形態では、仕切壁Ｒは、上記した第１領域Ｐの第１突出領域部Ｐ２と第２領域Ｑの第２突出領域部Ｑ２との境界部に対応して、第１仕切部Ｒ１と、第２仕切部Ｒ２と、第３仕切部Ｒ３と、を備えている。第１仕切部Ｒ１は、第１突出領域部Ｐ２と第２ベース領域部Ｑ１とを仕切るように左右方向に沿って延設され、突出基板部１７０ａの突出端に位置し、メカユニットＭＵのメインシャーシ部材１５０下方に潜り込むように配置される。第２仕切部Ｒ２は、第１仕切部Ｒ１よりも前方側に位置し、第２突出領域部Ｑ２と第１ベース領域部Ｐ１とを仕切るように左右方向に沿って延設される。第３仕切部Ｒ３は、第１仕切部Ｒ１と第２仕切部Ｒ２とを接続するとともに、第１突出領域部Ｐ２と第２突出領域部Ｑ２とを仕切るように、前後方向に沿って延設される。この結果、上記第１仕切部Ｒ１、第２仕切部Ｒ２、第３仕切部Ｒ３を備えた仕切壁Ｒは、図７（ａ）及び図７（ｂ）に示すように、平面視において、直角に曲がる略クランク形状となっている。
【００３４】
このとき、メカユニットＭＵのサーマルラインヘッド１１２及びこれに対向配置されるプラテンローラ１１１を、第３仕切部Ｒ３の上方に配置されている（図５（ａ）、図５（ｂ）、図６（ａ）、図６（ｂ）参照）。そして、上記駆動モータは、サーマルラインヘッド１１２やプラテンローラ１１１の左右方向一方側（この例では左側）の端部の下方において、第２領域Ｑの左側の第２突出領域部Ｑ２に配置されている。すなわち、サーマルラインヘッド１１２及びプラテンローラ１１１を仕切壁Ｒの上方に設ける一方で、駆動モータを仕切壁Ｒの上方ではなく、第２仕切部Ｒ２及び第３仕切部Ｒ３の側方にある第２突出領域部Ｑ２に配置している。
【００３５】
＜開閉検出のためのセンサ＞
ここで、本実施形態のプリンタ１では、通常のこの種の開閉蓋方式のプリンタと同様、開閉蓋１０１Ｂの開閉動作を検出するためのセンサ（移動検出センサＬＳ）が設けられる。但し、このセンサを上記開閉蓋１０１Ｂと同じ側である第２領域Ｑに設けた場合、上述と同様、センサへの防水性の懸念が生じる。
【００３６】
そこで、本実施形態においては、開閉蓋１０１Ｂと反対側である第１領域Ｐに、例えばリミットスイッチ等の移動検出センサＬＳを設ける（図５（ａ）、図５（ｂ）、図６（ａ）、図６（ｂ）参照）。そして、開閉蓋１０１Ｂの動作を移動検出センサＬＳで直接的に検出するのではなく、第２領域Ｑ側の開閉蓋１０１Ｂの動作を、例えばシーソー型もしくは梃子レバー式等の移動伝達機構２００（後述の図８参照）を介して機械的に第１領域Ｐ側へ伝達し、これを移動検出センサＬＳによって間接的に検出する。以下、その詳細を順を追って説明する。
【００３７】
＜移動検出センサの詳細構成及び動作＞
図８に示すように、上記移動検出センサＬＳは、前述のように第１領域Ｐと第２領域Ｑとの境界位置に、それら第１領域Ｐと第２領域Ｑとに跨るように配置されるメカユニットＭＵの、第１領域Ｐ側の部分に配置されている。そして、移動検出センサＬＳへ開閉蓋１０１Ｂの動作を伝達するための移動伝達機構２００は、図８、図９、及び図１０に示すように、メインシャーシ部材１５０の側面に対し揺動軸２０１を介し回動可能に支持された状態で上記第１領域Ｐと第２領域Ｑとにまたがって設けられている。この移動伝達機構２００は、メカユニットＭＵ及び仕切壁Ｒの後方側（すなわち第２領域Ｑ側）に位置する移動入力部２０２と、メカユニットＭＵ及び仕切壁Ｒの前方側（すなわち第１領域Ｐ側）に位置する幅広矩形板状の移動出力部２０３と、を有している。
【００３８】
ここで、上記開閉蓋１０１Ｂは、前述したように、アンダーカバー１０２に対し、基端に設けたヒンジ部Ｈを介して回動自在となっている。そして、開閉蓋１０１Ｂの先端下面側において、プラテンローラ１１１の両端軸が、開閉蓋１０１Ｂに突設した円筒状の軸受１１１Ａによって支承されている。この開閉蓋１０１Ｂが、ロール収納部１６１を開放する上記開き位置（図９参照）から、閉じ方向に回動されて上記閉じ位置（図１０参照）となると、上記軸受１１１Ａが、メインシャーシ部材１５０の左右側面上部に設けられた嵌合凹部１１１Ｂに嵌合される（図１０参照）。このとき、嵌合凹部１１１Ｂに隣接するように、移動伝達機構２００の上記移動入力部２０２が配置されている。そして、軸受１１１Ａが上記嵌合凹部１１１Ｂに嵌合した際に、当該軸受１１１Ａによって移動入力部２０２が下方へ押下され、移動伝達機構２００は揺動軸２０１を中心にして反時計回りに揺動する。
【００３９】
一方このとき、上記移動検出センサＬＳは、メインシャーシ部材１５０の左側側面において、上記移動伝達機構２００の移動出力部２０３よりも上方側に配置されている。詳細には、移動検出センサＬＳには、第１領域Ｐ側に向けて斜め下方に突出したスイッチレバーＬＳ１が備えられており、そのスイッチレバーＬＳ１の下方側に上記移動出力部２０３が対向配置されている。
【００４０】
すなわち、第２領域Ｑ側において上記のようにして開閉蓋１０１Ｂが閉じられるとき、閉じ位置へと下降する開閉蓋１０１Ｂに対し上記移動入力部２０２が当接する。これにより、移動入力部２０２が下降して移動伝達機構２００が揺動軸２０１を中心にして反時計回りに揺動する。この揺動により、移動入力部２０２の下降移動が機械的に第１領域Ｐに位置する移動出力部２０３へと伝達され、移動出力部２０３が上昇移動してスイッチレバーＬＳ１を押し上げる。すなわち、移動入力部２０２の下降移動が、移動出力部２０３の上昇移動に変換して出力される。これにより、移動検出センサＬＳがオン作動し、開閉蓋１０１Ｂが閉じ状態であることを検知する。
【００４１】
以上説明したように、本実施形態のプリンタ１においては、外部開放状態となる第２領域Ｑでの開閉蓋１０１Ｂの開閉動作を、移動伝達機構２００を介して第１領域Ｐ側へと伝達し、移動検出センサＬＳで検出する。これにより、移動検出センサＬＳへの防水性を確保しつつ開閉検出を行うことができる。この結果、開閉蓋１０１Ｂの開閉検出性能を良好に維持することができる。
【００４２】
また、本実施形態では特に、メカユニットＭＵを仕切壁Ｒの上部に設けることで、それらメカユニットＭＵと仕切壁Ｒとの協働によって第２領域Ｑ側から第１領域Ｐへの飛沫の飛び散りを十分に遮蔽し、移動検出センサＬＳへの防水性を確保することができる。
【００４３】
また、本実施形態では特に、移動伝達機構２００において、移動出力部２０３は、開閉蓋１０１Ｂの下降に伴う移動入力部２０２の下降移動を変換し上昇移動として出力する。そして、移動検出センサＬＳは移動出力部２０３より上方に位置し、当該移動出力部２０３の上昇移動を検出する。これにより、万が一、第２領域Ｑの移動入力部２０２から飛沫が侵入し移動伝達機構２００の表面を伝わって移動出力部２０３から第１領域Ｐへと現れた場合を想定したとしても、移動検出センサＬＳは移動出力部２０３より上方に位置することから、当該現れた飛沫が移動検出センサＬＳに到達することはない。したがって、移動検出センサＬＳが飛沫にさらされるのを防止できる。
【００４４】
さらに、図１１に示すように、操作者Ｕが上記挿通部１０２ａに挿通したストラップＳＰを用い肩や腰にぶら下げて制御基板側１７０が上、ロール収納部１６１が下となる姿勢でプリンタ１を使用する際に、プリンタ１全体が多少傾斜した場合であっても、移動検出センサＬＳが上方で移動出力部２０３が下方にある位置関係は（例えばプリンタ１の天地を逆さまにしない限りは）大きく変わることはない。したがって、上記のような操作者Ｕの使用態様においても、移動検出センサＬＳが飛沫にさらされるのを防止することができる。
【００４５】
また、本実施形態では特に、開閉蓋１０１Ｂの端部１０１Ｃと排出口１０７の縁部とを一致させている。これにより、開閉蓋１０１Ｂを開き状態にしてロール紙Ｓの先端余剰部を露出させた後、当該開閉蓋１０１Ｂを閉めるだけでロール紙Ｓの上記排出口１０７への挿通を容易に実現することができる。この結果、操作者による印刷開始前の準備操作を簡略化することができ、利便性を向上することができる。
【００４６】
なお、本発明は、上記実施形態に限られるものではなく、その趣旨及び技術的思想を逸脱しない範囲内で種々の変形が可能である。
【００４７】
その他、一々例示はしないが、本発明は、その趣旨を逸脱しない範囲内において、種々の変更が加えられて実施されるものである。
【符号の説明】
【００４８】
１                    プリンタ（印刷装置）
１００                筐体
１０１Ｂ              開閉蓋
１０１Ｃ              端部
１０７                排出口
１６１                ロール収納部（媒体収納室）
１７０                制御基板（電装品）
２００                移動伝達機構
２０２                移動入力部
２０３                移動出力部
ＬＳ                  移動検出センサ
ＭＵ                  メカユニット（印刷処理機構、遮蔽手段）
Ｓ                    ロール紙（被印字媒体）
Ｐ                    第１領域
Ｑ                    第２領域
Ｒ                    仕切壁（遮蔽手段）
【図１】
0005835653.tif 000002
【図２】
0005835653.tif 000003
【図３】
0005835653.tif 000004
【図４】
0005835653.tif 000005
【図５】
0005835653.tif 000006
【図６】
0005835653.tif 000007
【図７】
0005835653.tif 000008
【図８】
0005835653.tif 000009
【図９】
0005835653.tif 000010
【図１０】
0005835653.tif 000011
【図１１】
0005835653.tif 000012